(57)【要約】【課題】換気性能に優れているうえに、雨仕舞い性能にも優れている換気構造を提供する。【解決手段】建物１の換気空間としての屋根裏空間２と外部とを連通させる略水平なスリット状の換気口３が設けられており、このスリット状の換気口３内に、複数の通気口４１ａ，・・・，４２ａ，・・・をそれぞれ有する一対の長尺のガラリ４１，４２が、建物１の外内方向に間隔Ｉをあけて設けられた構成とされている。【選択図】図２
2011058234.tif 000002
【特許請求の範囲】
【請求項１】
建物の換気空間と外部とを連通させる略水平なスリット状の換気口が設けられており、このスリット状の換気口内に、複数の通気口を有する少なくとも一対の長尺のガラリが、建物の外内方向に間隔をあけて設けられていることを特徴とする換気構造。
【請求項２】
前記一対の長尺のガラリは、ともに片流れの羽板を有するガラリであり、平面視で、両者の羽板が逆向きの傾斜であることを特徴とする請求項１に記載の換気構造。
【請求項３】
前記一対の長尺のガラリのうちの外側のガラリが、少なくとも、前記スリット状の換気口の幅方向の一方の端部との間に、前記一対の長尺のガラリ間の前記間隔の空間部分と連通する排水用の隙間が設けられていることを特徴とする請求項１又は２に記載の換気構造。
【請求項４】
前記換気空間内において、前記一対の長尺のガラリのうちの内側のガラリの下方には、樋が設けられていることを特徴とする請求項１乃至３のいずれか１項に記載の換気構造。
【請求項５】
前記内側のガラリと前記樋との間には、雨水誘導部材が設けられていることを特徴とする請求項４に記載の換気構造。
【請求項６】
前記スリット状の換気口の入り口側には、長尺の目隠し用兼水切り用のカバー材が下部に吸気用兼排水用の隙間を確保し固定して設けられていることを特徴とする請求項１乃至５のいずれか１項に記載の換気構造。
【請求項７】
請求項１乃至６のいずれか１項に記載の換気構造を備えていることを特徴とする建物。
【発明の詳細な説明】
【技術分野】
【０００１】
本発明は、建物の換気構造、及びこの換気構造を備えた建物に関するものである。
【背景技術】
【０００２】
近年の建物においては、建物本体の耐久性を高めるためなどの目的で、屋根裏などの換気が行える換気構造が多く実施されている。
【０００３】
例えば特許文献１に開示された換気構造では、雨仕舞いを考慮して、山形の羽板を有する換気用ガラリが用いられている。
【先行技術文献】
【特許文献】
【０００４】
【特許文献１】特開２００９−９２２９２号公報
【発明の概要】
【発明が解決しようとする課題】
【０００５】
特許文献１に開示された換気構造では、長尺の換気用ガラリの通気口を略水平方向に向けて設置すると、より優れた換気性能を発揮することができる。
【０００６】
しかしながら、この特許文献１に開示された換気構造では、雨仕舞い性能の点で、改良の余地があった。
【０００７】
そこで、本発明は、換気性能に優れているうえに、雨仕舞い性能にも優れている換気構造、及びこの換気構造を備えた建物を提供することを目的としている。
【課題を解決するための手段】
【０００８】
前記目的を達成するために、本発明の換気構造は、建物の換気空間と外部とを連通させる略水平なスリット状の換気口が設けられており、このスリット状の換気口内に、複数の通気口を有する少なくとも一対の長尺のガラリが、建物の外内方向に間隔をあけて設けられていることを特徴とする。
【０００９】
ここで、前記一対の長尺のガラリは、ともに片流れの羽板を有するガラリであり、平面視で、両者の羽板が逆向きの傾斜であるとよい。
【００１０】
また、前記一対の長尺のガラリのうちの外側のガラリが、少なくとも、前記スリット状の換気口の幅方向の一方の端部との間に、前記一対の長尺のガラリ間の前記間隔の空間部分と連通する排水用の隙間が設けられているとよい。
【００１１】
さらに、前記換気空間内において、前記一対の長尺のガラリのうちの内側のガラリの下方には、樋が設けられているとよい。
【００１２】
また、前記内側のガラリと前記樋との間には、雨水誘導部材が設けられているとよい。
【００１３】
さらに、前記スリット状の換気口の入り口側には、長尺の目隠し用兼水切り用のカバー材が下部に吸気用兼排水用の隙間を確保し固定して設けられているとよい。
【００１４】
本発明の建物は、上記した換気構造を備えていることを特徴とする。
【発明の効果】
【００１５】
このような本発明の換気構造は、建物の換気空間と外部とを連通させる略水平なスリット状の換気口が設けられており、このスリット状の換気口内に、複数の通気口を有する少なくとも一対の長尺のガラリが、建物の外内方向に間隔をあけて設けられた構成とされている。
【００１６】
こうした構成なので、複数の通気口を有する長尺のガラリが略水平に設けられているため、換気性能に優れている。
【００１７】
そのうえ、一対の長尺のガラリ間の間隔に気流が生じ、この気流が壁のような役割をして雨水の浸入が抑制されるため、雨仕舞い性能にも優れている。
【００１８】
ここで、一対の長尺のガラリは、ともに片流れの羽板を有するガラリであり、平面視で、両者の羽板が逆向きの傾斜である場合は、略山形となる羽板間の換気経路を通過する空気が万遍なく羽板の表面に接触することとなり、雨水の浸入がより抑制されるため、より雨仕舞い性能に優れている。
【００１９】
また、一対の長尺のガラリのうちの外側のガラリが、少なくとも、スリット状の換気口の幅方向の一方の端部との間に、一対の長尺のガラリ間の間隔の空間部分と連通する排水用の隙間が設けられている場合は、この排水用の隙間の存在により、一対の長尺のガラリ間の間隔の空間部分に生じる気流の速度がより速くなり、この気流の壁のような役割が一層増すとともに、一対の長尺のガラリ間の間隔の空間部分に溜まった雨水は、この排水用の隙間からこの気流にのって排水されるため、さらにより雨仕舞い性能に優れている。
【００２０】
さらに、換気空間内において、一対の長尺のガラリのうちの内側のガラリの下方には、樋が設けられている場合は、万一、内側のガラリも越えて雨水が浸入してきたときも、この雨水は樋で排出して処理することができる。
【００２１】
また、内側のガラリと樋との間には、雨水誘導部材が設けられている場合は、雨水誘導部材により、浸入してきた雨水は、樋へ誘導されるため、樋の配置に自由度を持たせることができる。
【００２２】
さらに、スリット状の換気口の入り口側には、長尺の目隠し用兼水切り用のカバー材が下部に吸気用兼排水用の隙間を確保し固定して設けられている場合は、このカバー材が雨仕舞いの役目を果たすとともに、スリット状の換気口が露出されないため、意匠的外観も良くなる。
【００２３】
このような本発明の建物は、上記した換気構造を備えた構成とされているので、上記した効果を奏する建物を構築することができる。
【図面の簡単な説明】
【００２４】
【図１】実施例の換気構造を備えた建物の概略構成を示す斜視図である。
【図２】図１におけるＡ−Ａ線矢視拡大断面図である。
【図３】実施例の換気構造の要部を示す説明図である。
【発明を実施するための形態】
【００２５】
以下、本発明を実施するための形態を、図面に示す実施例に基づいて説明する。
【実施例】
【００２６】
先ず、実施例の構成について説明する。
【００２７】
図１は、実施例の換気構造を備えた建物１の概略構成を示している。
【００２８】
まず、このような建物１は、図１に示したように、基礎１Ｂの上に、建物本体１Ａが構築されている。
【００２９】
この実施例の換気構造では、図１及び図２に示したように、換気空間としての屋根裏空間２と外部とを連通させる略水平なスリット状の換気口３が設けられている。
【００３０】
そして、このスリット状の換気口３内に、複数の通気口４１ａ・・・，４２ａ・・・をそれぞれ有する一対の長尺のガラリ４１，４２が、建物１の外内方向に間隔Ｉをあけて設けられた構成とされている。
【００３１】
ここで、スリット状の換気口３は、建物１の長辺側の外壁材５の上部に形成されている。
【００３２】
具体的には、スリット状の換気口３の下側面は、図２に示したように、下部防水シート１０により形成されている。
【００３３】
この下部防水シート１０は、外壁材５の上端面、その内側面に固定された桟材５ａの上面、及び溝形鋼の天井梁６の上側フランジにスペーサー７を介してボルトとナットにより固定された断面Ｗ字形の垂木受け材８の上端の立ち上がり部に溶接により固定された断面逆Ｌ字形の支持部材９の水平部の上面に敷設されている。
【００３４】
また、スリット状の換気口３の上側面は、図２に示したように、下側面に上部防水シート１２が貼り付けられた屋根板１１の断面Ｌ字形の端部１１ａの水平部により形成されている。
【００３５】
ここで、下側面に上部防水シート１２が貼り付けられた屋根板１１は、野地板１３の上面に貼設されており、この野地板１３は、対向する断面Ｗ字形の垂木受け材８，８間に架設された垂木１４，・・・の上面に貼設されている。
【００３６】
さらに、スリット状の換気口３の左右側面は、図３に示したように、建物１の短辺側の笠木１５の内側面によりそれぞれ形成されている。
【００３７】
こうして形成されたスリット状の換気口３内には、図１及び図２に示したように、一対の長尺のガラリ４１，４２が、建物１の外内方向に間隔Ｉをあけて設けられている。
【００３８】
ここで、外側のガラリ４１は、片流れの羽板４１ｂ，・・・を有するガラリであり、内側のガラリ４２も、片流れの羽板４２ｂ，・・・を有するガラリである。
【００３９】
但し、外側のガラリ４１の羽板４１ｂ，・・・と内側のガラリ４２の羽板４２ｂ，・・・とは、図３に示したように、平面視で、逆向きの傾斜とされており、通気口４１ａ，・・・と通気口４２ａ，・・・は、略山形の換気経路とされている。
【００４０】
また、内側のガラリ４２は、図３に示したように、スリット状の換気口３内に隙間なく設けられているが、外側のガラリ４１は、スリット状の換気口３の入り口の幅よりも短く、スリット状の換気口３の一側面である建物１の短辺側の笠木１５の内側面との間に排水用の隙間Ｓが設けられている。
【００４１】
そして、この排水用の隙間Ｓは、一対の長尺のガラリ４１，４２間の間隔Ｉにより形成された空間部分と連通している。
【００４２】
さらに、換気空間としての屋根裏空間２内において、内側のガラリ４２の下方には、垂木１４に側面が固定されて、樋１６が設けられている。
【００４３】
ここで、この樋１６の一方の端部は、内側のガラリ４２の略真下に配置され、他方の端部には、建物１の外部へ樋１６内の雨水を排水するための図示省略の縦樋が連通して設けられている。
【００４４】
また、逆Ｌ字形断面の垂直部の下部を斜め上方に折り曲げた折り曲げ部が形成された雨水誘導部材１７が、図２及び図３に示したように、屋根板１１の断面Ｌ字形の端部１１ａの水平部と内側のガラリ４２の上面とに、その水平支持部が挟持されて、内側のガラリ４２と樋１６との間に設けられている。
【００４５】
ここで、雨水誘導部材１７の折り曲げ部には、樋１６に向って若干の傾斜が設けられており、この傾斜部分の最下部となる側の端部が、樋１６の上方に配置されている。
【００４６】
また、雨水誘導部材１７の折り曲げ部の上方では、下部防水シート１０の内側端部が延設され、垂下しており、水切り材１０ａとされている。
【００４７】
さらに、スリット状の換気口３の入り口側には、図２に示したように、その長手方向に間隔をあけて複数のブラケット１８，・・・が、ビスにより、外壁材５の上端部の外側面と、屋根板１１の断面Ｌ字形の端部１１ａの水平部の外側端部とに固定されている。
【００４８】
そして、これら複数のブラケット１８，・・・に、長尺の目隠し用兼水切り用のカバーとしての略断面Ｌ字形の建物１の長辺側の笠木１９が嵌め込まれ、下部に吸気用兼排水用の隙間を確保し固定して設けられている。
【００４９】
これにより、建物１の外部からの空気は、図２に示したように、矢印Ｗの方向に流れて、雨仕舞いが確実になされたうえで、屋根裏空間２の換気が可能とされている。
【００５０】
次に、実施例１の作用効果について説明する。
【００５１】
このような実施例の換気構造は、建物１の換気空間としての屋根裏空間２と外部とを連通させる略水平なスリット状の換気口３が設けられており、このスリット状の換気口３内に、複数の通気口４１ａ，・・・，４２ａ，・・・をそれぞれ有する一対の長尺のガラリ４１，４２が、建物１の外内方向に間隔Ｉをあけて設けられた構成とされている。
【００５２】
こうした構成なので、複数の通気口４１ａ，・・・，４２ａ，・・・をそれぞれ有する長尺のガラリ４１，４２が略水平に設けられているため、換気性能に優れている。
【００５３】
そのうえ、一対の長尺のガラリ４１，４２間の間隔Ｉに気流が生じ、この気流が壁のような役割をして雨水の浸入が抑制されるため、雨仕舞い性能にも優れている。
【００５４】
ここで、一対の長尺のガラリ４１，４２は、ともに片流れの羽板４１ｂ，・・・，４２ｂ，・・・をそれぞれ有するガラリであり、平面視で、両ガラリ４１，４２の羽板４１ｂ，・・・と４２ｂ，・・・が逆向きの傾斜である。
【００５５】
このため、略山形となる羽板４１ｂ，４１ｂ間と羽板４２ｂ，４２ｂ間とによる換気経路を通過する空気が万遍なく羽板４１ｂ，・・・，４２ｂ，・・・の表面に接触することとなり、雨水の浸入がより抑制されるので、より雨仕舞い性能に優れている。
【００５６】
また、一対の長尺のガラリ４１，４２のうちの外側のガラリ４１が、スリット状の換気口３の入り口の幅よりも短く、スリット状の換気口３の幅方向の一方の端部との間に、一対の長尺のガラリ４１，４２間の間隔Ｉにより形成された空間部分と連通する排水用の隙間Ｓが設けられている。
【００５７】
このため、この排水用の隙間Ｓの存在により、一対の長尺のガラリ４１，４２間の間隔Ｉの空間部分に生じる気流の速度がより速くなり、この気流の壁のような役割が一層増すとともに、一対の長尺のガラリ４１，４２間の間隔Ｉの空間部分に溜まった雨水は、この排水用の隙間Ｓからこの気流にのって排水されるので、さらにより雨仕舞い性能に優れている。
【００５８】
さらに、換気空間としての屋根裏空間２内において、一対の長尺のガラリ４１，４２のうちの内側のガラリ４２の下方には、樋１６が設けられている。
【００５９】
このため、万一、内側のガラリ４２も越えて雨水が浸入してきたときも、この雨水は樋１６で排出して処理することができる。
【００６０】
また、内側のガラリ４２と樋１６との間には、雨水誘導部材１７が設けられている。
【００６１】
このため、雨水誘導部材１７により、浸入してきた雨水は、樋１６へ誘導されるので、樋１６の配置に自由度を持たせることができる。
【００６２】
さらに、スリット状の換気口３の入り口側には、長尺の目隠し用兼水切り用のカバー材としての笠木１９が下部に吸気用兼排水用の隙間を確保し固定して設けられている。
【００６３】
このため、この笠木１９が雨仕舞いの役目を果たすとともに、スリット状の換気口３が露出されないので、意匠的外観も良くなる。
【００６４】
このような実施例の建物１は、上記した換気構造を備えた構成とされているので、上記した作用効果を奏する建物を構築することができる。
【００６５】
次に、この実施例の換気構造の実証試験を行ったところ、次の試験結果が得られた。
【００６６】
下記した条件（１）及び条件（２）における雨仕舞い性能を確認した。
【００６７】
ここで、条件（１）は、排水用の隙間Ｓを設けない場合である。
【００６８】
また、条件（２）は、上記した実施例のように、排水用の隙間Ｓ（１０ｍｍ）を設けた場合である。
【００６９】
そして、条件（１）と条件（２）の換気構造に、風速３５ｍで、降水量２８５ｍｍ／ｈの人工雨を１０分間吹き付けるという、かなり過酷な状況を与えた。
【００７０】
その結果、条件（１）の換気構造では、屋根裏空間２内の樋１６まで雨水が浸入してきたが、十分な換気は行えることが確認できた。
【００７１】
これに対し、条件（２）の換気構造では、屋根裏空間２内の樋１６まで雨水が浸入せず、十分な換気が行えることが確認できた。
【００７２】
すなわち、実施例の換気構造が、十分な換気性能を確保したうえで、雨仕舞い性能に優れていることが実証できた。
【００７３】
また、条件（２）では、排水用の隙間Ｓを１０ｍｍとしたが、上記した実施例では、排水用の隙間Ｓを５ｍｍ〜２０ｍｍとすると、十分な換気性能を確保したうえで、屋根裏空間２内の樋１６を必要とせずに、十分な雨仕舞い性能を確保できることも確認できた。
【００７４】
但し、この排水用の隙間Ｓの寸法は、基本的に、個々のケースで必要な換気性能に適合するように計算により個別に決められるものなので、上記した数値範囲に限定されない。
【００７５】
以上、図面を参照して、本発明を実施するための形態について実施例をもとに詳述してきたが、具体的な構成は、上記した実施例に限らず、本発明の要旨を逸脱しない程度の設計的変更は、本発明に含まれる。
【００７６】
例えば、上記実施例では、換気空間を屋根裏空間２として実施したが、これに限定されず、換気空間をバルコニーの床下空間などにして実施してもよい。
【００７７】
また、上記実施例では、一対のガラリ４１，４２を用いて実施したが、これに限定されず、三つ以上のガラリを用いて実施してもよい。
【符号の説明】
【００７８】
１      建物
２      屋根裏空間（換気空間）
３      スリット状の換気口
４１    外側のガラリ
４２    内側のガラリ
４１ａ  通気口
４２ａ  通気口
４１ｂ  羽板
４２ｂ  羽板
Ｉ      ガラリ間の間隔
Ｓ      排水用の隙間
１６    樋
１７    雨水誘導部材
１９    笠木（目隠し用兼水切り用のカバー材）
【図１】
2011058234.tif 000003
【図２】
2011058234.tif 000004
【図３】
2011058234.tif 000005